(57)【要約】      （修正有）【課題】ＬＥＤへの給電用の電線が外部に導出された照明器具において、当該電線を強固に固定することができる照明器具を提供する。【解決手段】基板１５と、基板１５に搭載されるＬＥＤ１６と、基板１５およびＬＥＤ１６を収容する筒状のカバー１１と、カバー１１の両端に配置されるキャップ１２とを備え、キャップ１２は、カバー１１の内径に収まる大きさの径を有する小径部と、前記小径部と一体的に形成されたカバー１１の内径よりも大きい径を有する大径部とを備え、前記小径部はカバー１１内に配置され、ＬＥＤ１６と電気的に接続される電線１３が、前記小径部からキャップ１２内に導入し、キャップ１２の外周面１２ｃから外部へ導出されることを特徴とする。【選択図】図４
0003207649.tif 000002
【実用新案登録請求の範囲】
【請求項１】
基板と、前記基板に搭載されるＬＥＤと、前記基板および前記ＬＥＤを収容する筒状のカバーと、前記カバーの両端に配置されるキャップと、を備え、前記キャップは、前記カバーの内径に収まる大きさの径を有する小径部と、前記小径部と一体的に形成された前記カバーの内径よりも大きい径を有する大径部とを備え、前記小径部は前記カバー内に配置され、前記ＬＥＤと電気的に接続される電線が、前記小径部から前記キャップ内に導入し、前記キャップの外周面から外部へ導出されることを特徴とする照明器具。
【請求項２】
前記電線が、前記大径部の外周面から外部へ導出されることを特徴とする請求項１に記載の照明器具。
【請求項３】
前記キャップが透光性を有することを特徴とする請求項１または２に記載の照明器具。
【請求項４】
請求項１ないし３のいずれか1項に記載の照明器具を複数縦方向に並べて長尺化した照明システム。 
【考案の詳細な説明】
【技術分野】
【０００１】
本考案は、主に発光ダイオード（ＬＥＤ）を光源とした照明器具に関する。
【背景技術】
【０００２】
比較的広い範囲に渡って照明を行う場合、複数の直管型の照明器具を一直線上に並べて長尺化を図るのに適した照明器具が提供されている（例えば、特許文献１参照）。特許文献１に係る直管型のＬＥＤ照明器具は、基板上に配置された複数のＬＥＤと、当該基板及びＬＥＤを収容する光透過性を有する長寸の円筒形ガラス管（カバー部材）と、このガラス管の両端部にきつく嵌合された透明な材料からなる一対のキャップを有している。一対のキャップの各々の円筒形側壁には穴が設けられており、そこから電源ケーブル及び接続コードが引き出されている。キャップが透明であることに加えて、電源ケーブル及び接続コードが照明器具の側面から引き出されていることによって、隣接する照明器具との密着配置が可能となり、照明器具間の領域にダークエリアのないシームレスな照明が好適に実現される。
【先行技術文献】
【特許文献】
【０００３】
【特許文献１】特開２００２−１６３９０７号公報
【考案の概要】
【考案が解決しようとする課題】
【０００４】
しかしながら、特許文献１に係る照明器具は、基板と接続される接続コードが、キャップ側面に形成された穴から単純に引き出される構造であるため、接続コードが引っ張られたりすると、接続コードと基板との接続部に負荷がかかることによる接触不良を引き起こしたり、最悪の場合は接続コードが剥がれ落ちてしまうという問題があった。
【０００５】
本考案は、かかる問題点に鑑みてなされたものであり、ＬＥＤへの給電用の電線が外部に導出された照明器具において、当該電線を強固に固定することを可能とした照明器具を提供することを目的とする。
【課題を解決するための手段】
【０００６】
上記の課題を解決するために、本考案は、以下に掲げる構成とした。すなわち、基板と、前記基板に搭載されるＬＥＤと、前記基板および前記ＬＥＤを収容する筒状のカバーと、前記カバーの両端に配置されるキャップとを備え、前記キャップは、前記カバーの内径に収まる大きさの径を有する小径部と、前記小径部と一体的に形成された前記カバーの内径よりも大きい径を有する大径部とを備え、前記小径部は前記カバー内に配置され、前記ＬＥＤと電気的に接続される電線が、前記小径部から前記キャップ内に導入し、前記キャップの外周面から外部へ導出されることを特徴とする照明器具が提供される。
【考案の効果】
【０００７】
本考案は以上のように構成されているので、ＬＥＤへの給電用の電線が外部に導出された照明器具において、当該電線を強固に固定することができる。
【図面の簡単な説明】
【０００８】
【図１】本考案に係る照明器具の外形図である。
【図２】図１のＡ−Ａ線に対応する断面図である。
【図３】本考案に係る照明器具のキャップとカバーの嵌合部の詳細を示す断面図である。
【図４】本考案に係る照明器具の電線の接続状態を示す図である。
【図５】本考案に係る照明器具を複数配列した照明システムを示す図である。
【考案を実施するための形態】
【０００９】
以下、本考案の実施の形態について、詳細に説明する。但し、図面は模式的なものであり、寸法比などは現実のものとは異なることに留意すべきである。従って、具体的な寸法比などは以下の説明を参酌して判断すべきものである。又、図面相互間においても互いの寸法の関係や比率が異なる部分が含まれていることはもちろんである。
また、以下に示す実施の形態は、この考案の技術的思想を具体化するための例示であって、この考案の実施の形態は、構成部品の材質、形状、構造、配置等を下記のものに特定するものではない。この考案の実施の形態は、要旨を逸脱しない範囲内で種々変更して実施できる。
【００１０】
図１は、本考案に係る照明器具１０の外形図である。図２は、図１のＡ−Ａ線に対応する断面図である。本考案に係る照明器具は、長尺状の基板１５と、基板１５上の長手方向に亘って搭載される複数の発光ダイオード（ＬＥＤ）１６と、基板１５及びＬＥＤ１６を収容する透光性を有する筒状のカバー１１と、カバー１１の両端を封止するキャップ１２と、ＬＥＤ１６と電気的に接続され、キャップ１２から導出される電線１３と、電線１３の先端部に設けられたコネクタ１４を備えている。
【００１１】
照明器具１０は、コネクタ１４及び電線１３を介して電源から供給される電気によりＬＥＤ１６が発光することで点灯する。
【００１２】
図３は、キャップ１２とカバー１１の嵌合部の詳細を示す断面図である。キャップ１２は、小径部１２ｂと、小径部１２ｂよりも径が大きい大径部１２ａを備える。小径部１２ｂの下段に大径部１２ａが配置され、段差部１２ｅを有する円柱状に形成されている。キャップ１２は断面視において、凸形状であり、小径部１２ｂの上面１２ｇと、小径部１２ｂの外周面１２ｄと、大径部１２ａの下面１２ｆと、大径部１２ａの外周面１２ｃと、段差部１２ｅにより、その外形が構成される。
【００１３】
キャップ１２は、図３に示す左方向の矢印に従い、カバー１１の端部を覆う。小径部１２ｂは、カバー１１の内径に収まる大きさの径を有しており、大径部１２ａは、カバー１１の内径よりも大きい径を有しており、小径部１２ｂと大径部１２ａは一体的に形成されている。小径部１２ｂの外周面１２ｄとカバー１１の内周面が互いに接するように、小径部１２ｂはカバー１１内に配置される。カバー１１の端部１１ａは、キャップ１２の段差部１２ｅと接し、大径部１２ａはカバー１１から露出している。また、カバー１１の外周面と大径部１２ａの外周面１２ｃが略平面となるようにキャップ１２はカバー１１の両端部を封止する。
【００１４】
図４は、本発明に係る照明器具１０の長手方向に切断した断面図であり、電線１３の接続状態を示す。電線１３の一端は、基板１５上の配線に接続され、ＬＥＤ１６と電気的に接続される。電線１３の他端は、コネクタ１４が接続されている。電線１３は、図４中の点線が示すように、キャップ１２の小径部の上面１２ｇからキャップ１２内へ導入し、キャップ１２内を通過して大径部の外周面１２ｃから外部へ導出される。
【００１５】
なお、電線１３を小径部１２ｂの外周面１２ｄから外部へ導出させることもできるが、その場合はカバー１１の端部に電線１３を外部へ導出させるための穴を形成する必要がある。
【００１６】
このように、電線１３がキャップ１２内を下面１２ｆに沿って外周面１２ｃから導出されるよう構成することで、電線１３とキャップ１２の接触面積が増加するため、電線１３をより強固にキャップ１２に固定することができる。そのため、仮に電線１３に外部から引っ張られる等の力が加わったとしても、電線１３はキャップ１２と強固に固定されているため、電線１３の一端と基板１５との接続部に負荷が加わるのを抑制できる。
【００１７】
キャップ１２は透光性を有する部材により形成されることが好ましい。キャップ１２が透光性を有することにより、ＬＥＤ１６から出射した光がキャップ１２からも照明器具１０の外部へ放出させることができる。これにより、照明器具１０の光取り出し効率を向上させることができる。
【００１８】
図５は、照明器具１０を縦方向に２本並べて照明システムを構成した図である。照明器具１０のキャップ１２の下面１２ｆが互いに隣接するように配置することで長尺化を実現したものである。通常、このように複数の照明器具を縦方向に複数並べた場合、キャップの周囲は影を形成しやすいが、透光性を有する部材でキャップ１２を形成することで、影が形成されるのを抑制できる。
【符号の説明】
【００１９】
１０・・・照明器具１１・・・カバー１１ａ・・・端部１２・・・キャップ１２ａ・・・大径部１２ｂ・・・小径部１２ｃ、１２ｄ・・・外周面１２ｅ・・・段差部１２ｆ・・・下面１２ｇ・・・上面１３・・・電線１４・・・コネクタ１５・・・基板１６・・・発光ダイオード（ＬＥＤ）   
【図１】
0003207649.tif 000003
【図２】
0003207649.tif 000004
【図３】
0003207649.tif 000005
【図４】
0003207649.tif 000006
【図５】
0003207649.tif 000007